【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
燃料から改質ガスを発生させる燃料改質器と、該燃料改質器を内部に収容する収容容器と、前記燃料改質器に前記燃料を供給するための供給管と、前記燃料改質器から前記改質ガスを排出するための排出管とを具備しており、前記供給管および排出管は、前記供給管および前記排出管よりも外径が大きい部材を介して前記燃料改質器に陽極接合されていることを特徴とする燃料改質装置。
【請求項２】
前記供給管および前記排出管は、熱伝導率が１２０Ｗ／ｍ・Ｋ以下であることを特徴とする請求項１記載の燃料改質装置。
【請求項３】
前記排出管は、その開口面積が前記燃料改質器の排出孔の開口面積よりも大きいことを特徴とする請求項１または請求項２記載の燃料改質装置。
【請求項４】
前記供給管および前記排出管は、前記部材との接合部および前記基体または前記蓋体との接合部の断面積がそれらの接合部の間の部位の断面積よりも小さいことを特徴とする請求項１乃至請求項３のいずれかに記載の燃料改質装置。
【請求項５】
前記部材と前記燃料改質器との熱膨張係数差の絶対値が２０×１０−６／℃以下であることを特徴とする請求項１乃至請求項４のいずれかに記載の燃料改質装置。
【請求項６】
前記収容容器は、凹部を上面に有する基体と該基体の上面に前記凹部を覆って取着される蓋体とを備えることを特徴とする請求項１から５のいずれか記載の燃料改質装置。
【手続補正２】
【補正対象書類名】明細書
【補正対象項目名】発明の名称
【補正方法】変更
【補正の内容】
【発明の名称】燃料改質装置
【手続補正３】
【補正対象書類名】明細書
【補正対象項目名】０００１
【補正方法】変更
【補正の内容】
【０００１】
本発明は、例えば燃料電池システムにおいて各種燃料から吸熱触媒反応である水蒸気改質反応を利用して水素ガスを発生させる燃料改質器を用いた燃料改質装置に関するものである。
【手続補正４】
【補正対象書類名】明細書
【補正対象項目名】００１１
【補正方法】変更
【補正の内容】
【００１１】
本発明は上記従来の技術における問題点に鑑みて完成されたものであり、その目的は、燃料改質器へ良好に燃料を供給し、また、燃料改質器によって改質された水素ガス等の改質ガスを安全に燃料改質器収納用容器の外に排出できるとともに、発電損失の少ない燃料改質装置を提供することにある。
【手続補正５】
【補正対象書類名】明細書
【補正対象項目名】００１２
【補正方法】変更
【補正の内容】
【００１２】
本発明の燃料改質装置は、燃料から改質ガスを発生させる燃料改質器と、該燃料改質器を内部に収容する収容容器と、前記燃料改質器に前記燃料を供給するための供給管と、前記燃料改質器から前記改質ガスを排出するための排出管とを具備しており、前記供給管および排出管は、前記供給管および前記排出管よりも外径が大きい部材を介して前記燃料改質器に陽極接合されていることを特徴とする。
ことを特徴とする。
【手続補正６】
【補正対象書類名】明細書
【補正対象項目名】００１３
【補正方法】変更
【補正の内容】
【００１３】
本発明の燃料改質装置において、好ましくは、前記供給管および前記排出管は、熱伝導率が１２０Ｗ／ｍ・Ｋ以下であることを特徴とする。
【手続補正７】
【補正対象書類名】明細書
【補正対象項目名】００１４
【補正方法】変更
【補正の内容】
【００１４】
本発明の燃料改質装置において、好ましくは、前記排出管は、その開口面積が前記燃料改質器の排出孔の開口面積よりも大きいことを特徴とする。
【手続補正８】
【補正対象書類名】明細書
【補正対象項目名】００１５
【補正方法】変更
【補正の内容】
【００１５】
本発明の燃料改質装置において、好ましくは、前記供給管および前記排出管は、前記部材との接合部および前記基体または前記蓋体との接合部の断面積がそれらの接合部の間の部位の断面積よりも小さいことを特徴とする。
【手続補正９】
【補正対象書類名】明細書
【補正対象項目名】００１６
【補正方法】変更
【補正の内容】
【００１６】
本発明の燃料改質装置において、好ましくは、前記部材と前記燃料改質器との熱膨張係数差の絶対値が２０×１０−６／℃以下であることを特徴とする。
【手続補正１０】
【補正対象書類名】明細書
【補正対象項目名】００１７
【補正方法】変更
【補正の内容】
【００１７】
本発明の燃料改質装置において、前記収容容器は、凹部を上面に有する基体と該基体の上面に前記凹部を覆って取着される蓋体とを備えることを特徴とする。
【手続補正１１】
【補正対象書類名】明細書
【補正対象項目名】００１８
【補正方法】変更
【補正の内容】
【００１８】
本発明の燃料改質装置は、燃料から改質ガスを発生させる燃料改質器と、該燃料改質器を内部に収容する収容容器と、前記燃料改質器に前記燃料を供給するための供給管と、前記燃料改質器から前記改質ガスを排出するための排出管とを具備しており、前記供給管および排出管は、前記供給管および前記排出管よりも外径が大きい部材を介して前記燃料改質器に陽極接合されていることから、収容容器の内側に燃料改質器の裏面全体を直接、面接合したり、台座等を介して接合したりする必要がなく、燃料改質器の熱が収容容器に伝達されるのを有効に抑制することができる。その結果、燃料改質器を断熱して燃料改質器の温度低下を抑制することができ、燃料改質器を良好に動作させるために必要な温度を保つためのヒーターに大きな電力を供給しつづける必要はなく、発電効率を著しく向上させることができる。
【手続補正１２】
【補正対象書類名】明細書
【補正対象項目名】００１９
【補正方法】変更
【補正の内容】
【００１９】
また、燃料改質器から基体や蓋体への熱伝導を大幅に低減できるため、収容容器の外壁表面の温度が上昇するのを有効に抑制することが可能となる。
【手続補正１３】
【補正対象書類名】明細書
【補正対象項目名】００２３
【補正方法】変更
【補正の内容】
【００２３】
本発明の燃料改質装置は、供給管および排出管の熱伝導率が１２０Ｗ／ｍ・Ｋ以下であることから、供給管および排出管を介して燃料改質器から収容容器に伝わる熱をより効果的に低減することができ、燃料改質器の温度低下の抑制や収容容器の高温化の抑制をより有効に行なうことができる。
【手続補正１４】
【補正対象書類名】明細書
【補正対象項目名】００２４
【補正方法】変更
【補正の内容】
【００２４】
本発明の燃料改質装置は、排出管の開口面積が燃料改質器の排出孔の開口面積よりも大きいことから、燃料改質器から排出管への改質ガスの流動の抵抗を小さくすることができ、燃料改質器からの改質ガスの排出をスムーズにして燃料改質の効率を大幅に向上させることができる。
【手続補正１５】
【補正対象書類名】明細書
【補正対象項目名】００２５
【補正方法】変更
【補正の内容】
【００２５】
本発明の燃料改質装置は、供給管および排出管における部材との接合部および基体または蓋体との接合部の断面積がそれらの接合部の間の部位の断面積よりも小さいことから、供給管および排出管と部材との接合強度、および、供給管および排出管と収容容器との接合強度を良好に維持するとともに燃料改質器からの熱が収容容器に伝達されるのをより有効に抑制することができる。
【手続補正１６】
【補正対象書類名】明細書
【補正対象項目名】００２６
【補正方法】変更
【補正の内容】
【００２６】
また、供給管および排出管の断面積が小さい部位において適度に変形することが可能となり、供給管、排出管、燃料改質器、基体および蓋体の間に熱膨張係数差による応力が生じたり、外部からの衝撃などが燃料改質器収納用容器に加わった場合に、供給管および排出管の適度な変形により応力を緩和することができ、供給管および排出管と燃料改質器との接合部、および、供給管および排出管と収容容器との接合部の接合を良好に維持することができる。
【手続補正１７】
【補正対象書類名】明細書
【補正対象項目名】００２７
【補正方法】変更
【補正の内容】
【００２７】
本発明の燃料改質装置において、収容容器は、凹部を上面に有する基体と該基体の上面に凹部を覆って取着される蓋体とを備えることから、上記本発明の燃料改質器収納用容器を用いた、燃料改質器によって改質された水素ガス等のガスを安全に燃料改質器収納用容器の外に排出できるとともに、発電損失の少ないものとなる。
【手続補正１８】
【補正対象書類名】明細書
【補正対象項目名】００２８
【補正方法】変更
【補正の内容】
【００２８】
本発明の燃料改質装置の実施形態を以下に詳細に説明する。
【手続補正１９】
【補正対象書類名】明細書
【補正対象項目名】００６７
【補正方法】変更
【補正の内容】
【００６７】
【図１】本発明の燃料改質装置の実施の形態の一例を示す断面図である。